(57)【特許請求の範囲】
【請求項１】
前方に着座者が着座して使用する使用端をそれぞれ少なくとも１つ有する複数の天板と、天板の側端縁部を下方から支持するとともに一使用端側から奥行き方向に伸びる第１の脚要素及びこの第１の脚要素の前記一使用端と反対側の端部から幅方向に伸びる第２の脚要素を備え天板に対して着脱可能な脚とを備える天板付き家具であって、前記脚に代えて１つの天板の側端縁部を下方から支持するとともに内部に収納空間を有し奥行き寸法が前記第１の脚要素と同一、幅寸法が前記第２の脚要素の幅寸法と同一でかつ天板に対して着脱可能な収納庫を装着可能であることを特徴とする天板付き家具。
【請求項２】
前方に着座者が着座して使用する使用端をそれぞれ少なくとも１つ有する複数の天板と、天板の側端縁部を下方から支持するとともに一使用端側から奥行き方向に伸びる第１の脚要素及びこの第１の脚要素の前記一使用端と反対側の端部から幅方向に伸びる第２の脚要素を備え天板に対して着脱可能な脚とを備える天板付き家具であって、前記脚に代えて隣接する２つの天板の側端縁部を下方から支持するとともに内部に収納空間を有し奥行き寸法が前記第１の脚要素と同一、幅寸法の２分の１が前記第２の脚要素の幅寸法と略同一でかつ天板に対して着脱可能な収納庫を装着可能であることを特徴とする天板付き家具。
【請求項３】
前記収納庫の背面又は前記第２の脚要素の前記一使用端と反対側を向く面に設けられ、天板下方の空間を外部から隠蔽する目隠し板を具備する請求項１又は２記載の天板付き家具。
【請求項４】
前記収納庫の背面又は前記第２の脚要素に支持させてなる配線ダクトと、この配線ダクトのさらに後方に着脱可能に設けてなり天板下方の空間を外部から隠蔽する目隠し板とを具備する請求項１、２又は３記載の天板付き家具。
【請求項５】
前記収納庫の背面又は前記第２の脚要素に複数の前記配線ダクトを支持させることが可能である請求項４記載の天板付き家具。
【発明の詳細な説明】
【技術分野】
【０００１】
本発明は、オフィス等において好適に使用される天板付き家具に関する。
【背景技術】
【０００２】
従来より、物品の収納スペースを確保するとともに天板上とこの収納スペースとの間で物品を出し入れしやすくすべく、収納庫に天板を支持させてなる天板付き家具が種々知られている（例えば、特許文献１記載のものを参照）。また、このような天板付き家具において、収納庫の背面に配線を収納可能なダクトや天板下方の空間を目隠しするための目隠し板を配置することが考えられている。
【０００３】
しかして、このような天板付き家具を利用するにあたって、利用が従来より使用してきたワゴン等の収納家具を天板下方に配置して利用したいという要望が存在するが、上述した特許文献１記載のもののような家具の天板の下方に収納家具を配置すると、天板下方において使用者の下肢を収納する空間が狭くなり利用しにくいものとなるという問題が存在する。
【先行技術文献】
【特許文献】
【０００４】
【特許文献１】特開２００９−９０００２号公報
【発明の概要】
【発明が解決しようとする課題】
【０００５】
本発明は以上の点に着目し、天板下方において使用者の下肢を収納する空間を確保しつつ、該天板の下方に物品収納空間の確保を図ることを目的とする。
【課題を解決するための手段】
【０００６】
すなわち請求項１の発明に係る天板付き家具は、前方に着座者が着座して使用する使用端をそれぞれ少なくとも１つ有する複数の天板と、天板の側端縁部を下方から支持するとともに一使用端側から奥行き方向に伸びる第１の脚要素及びこの第１の脚要素の前記一使用端と反対側の端部から幅方向に伸びる第２の脚要素を備え天板に対して着脱可能な脚とを備える天板付き家具であって、前記脚に代えて１つの天板の側端縁部を下方から支持するとともに内部に収納空間を有し奥行き寸法が前記第１の脚要素と同一、幅寸法が前記第２の脚要素の幅寸法と同一でかつ天板に対して着脱可能な収納庫を装着可能であることを特徴とする。
また、請求項２の発明に係る天板付き家具は、前方に着座者が着座して使用する使用端をそれぞれ少なくとも１つ有する複数の天板と、天板の側端縁部を下方から支持するとともに一使用端側から奥行き方向に伸びる第１の脚要素及びこの第１の脚要素の前記一使用端と反対側の端部から幅方向に伸びる第２の脚要素を備え天板に対して着脱可能な脚とを備える天板付き家具であって、前記脚に代えて隣接する２つの天板の側端縁部を下方から支持するとともに内部に収納空間を有し奥行き寸法が前記第１の脚要素と同一、幅寸法の２分の１が前記第２の脚要素の幅寸法と略同一でかつ天板に対して着脱可能な収納庫を装着可能であることを特徴とする。
【０００７】
このようなものであれば、天板の側端縁部を前記脚に支持させた場合、天板下方の下肢空間の側端は収納庫ではなく板状の第１の脚要素により区画されるので、下肢空間の幅寸法を大きくとることができる。その上で、収納庫の奥行き寸法が第１の脚要素と同一であるので、収納庫の背面と脚の背面とを面一にでき、見た目を整えることができる。
【０００８】
さらに、前記収納庫が１つの天板の一側端縁部を支持し、収納庫の幅寸法が前記第２の脚要素の幅寸法と同一である構成や、前記収納庫が幅方向に隣接する２つの天板の互いに対向する側端縁部を支持し、収納庫の幅寸法の２分の１が前記第２の脚要素の幅寸法と略同一である構成を備えているので、見栄えをさらに効果的に整えるとともに天板側において脚又は収納庫を取り付ける部位を共用することができる。
【０００９】
このような天板付き家具において、背面側からの見栄えをさらに整えることができる構成として、前記収納庫の背面又は前記第２の脚要素の前記一使用端と反対側を向く面に設けられ、天板下方の空間を外部から隠蔽する目隠し板を具備するものが挙げられる。
【００１０】
このような天板付き家具において、背面側からの見栄えをさらに整えつつ収納庫又は脚の背面側に配線を効果的に収納できるようにするための構成として、前記収納庫の背面又は前記第２の脚要素に支持させてなる配線ダクトと、この配線ダクトのさらに後方に着脱可能に設けてなり天板下方の空間を外部から隠蔽する目隠し板とを具備するものが挙げられる。
【００１１】
加えて、複数の系統のネットワークに接続する場合等、複数種類の配線を区別して配線する要望に対応するための態様として、前記収納庫の背面又は前記第２の脚要素に複数の前記配線ダクトを支持させることが可能であるものが挙げられる。
【発明の効果】
【００１２】
本発明によれば、天板下方において使用者の下肢を収納する空間を確保しつつ、該天板の下方に物品収納空間の確保を図ることができる。
【図面の簡単な説明】
【００１３】
【図１】本発明の一実施形態に係る天板付き家具を示す正面側全体斜視図。
【図２】同実施形態に係る天板付き家具を示す正面図。
【図３】同実施形態に係る天板付き家具を示す平面図。
【図４】図２におけるＡ−Ａ断面図。
【図５】同実施形態に係る天板付き家具を示す背面側全体斜視図。
【図６】同実施形態に係る天板の取付態様を示す分解斜視図。
【図７】図４における要部を拡大して示す図。
【図８】本発明の他の実施形態に係る天板付き家具を示す正面図。
【発明を実施するための形態】
【００１４】
本発明の一実施形態を図面を参照しつつ以下に述べる。
【００１５】
本実施形態に係る天板付き家具は、市区役所や町村役場等に代表されるオフィス等で好適に使用され、図１〜図３に示すように、幅方向に互いに隣接する複数枚、具体的には２枚の天板１と、この天板１を下方から支持するとともに内部に収納空間２ｓをそれぞれ有する収納庫２と、前記天板を下方から支持する脚３と、前記収納庫２及び脚３の背面に支持させてなる配線ダクト４と、この配線ダクト４のさらに後方に着脱可能に設けてなり天板１下方の空間を外部から隠蔽する上下の目隠し板５ａ、５ｂと、左右両端部に配してなるエンド脚６とを具備する。また、この天板付き家具には、天板１の上方に上棚７を着脱可能に設けることができる。
【００１６】
前記天板１は、図１〜図５に示すように、略矩形状をなし、幅方向に延び互いに対向する両端縁すなわち前後両端縁を、それぞれ前方に着座者が着座して使用する第１の使用端縁１ａ及び第２の使用端縁１ｂとしている。第１の使用端縁１ａ側には、天板１に載せ置いた情報機器等の操作を行う者等、この天板付き家具が配されるオフィスで作業を行う者が着座するようにしている。一方、第２の使用端縁１ｂ側には、各種申し込み等を行うべくこのオフィスを訪問した客等の者が着座するようにしている。この天板１の第１及び第２の使用端縁１ａ、１ｂには、図４に示すように、合成ゴムに代表される軟質部材を利用して形成した軟質部１１を設けている。この軟質部１１の端縁は、天板１の他の部位と視認により区別可能にしている。具体的には、この軟質部１１の縁部を、軟質部１１の他の部分と異なる色に着色している。さらに、この天板１の奥行き方向中間部の左右両端及び中央部には、この天板１の上方と下方とを連通する配線挿通孔１ｘを設けている。この配線挿通孔１ｘには、図示は省略するが、ディスプレイモニタを支持するためのディスプレイアーム等のオプション部材を取り付け可能である。また、この配線挿通孔１ｘは、図示しない蓋体により閉塞可能である。そして、この天板１の下面側の両側端縁には、前記収納庫を取り付けるための雌ネジたる鬼目ナット１ｙを埋設している。
【００１７】
前記収納庫２は、図１〜図３及び図５に示すように、一方の天板１の左右両端部をそれぞれ下方から支持する。また、この収納庫２は、底板２２と、この底板２２の左右両側縁から起立する左右の側板２３と、左右の側板２３の上端部間を接続する頂板２４と、この第１の収納庫２の背面を形成する背板２５とを備え、これら底板２２、左右の側板２３、頂板２４及び背板２５により区画される収納空間２ｓ内に物品を収納可能にしている。この収納庫２の上方には、以下のようにして天板１を取り付けるようにしている。すなわち、図示はしないが、頂板２４の隅部にネジ挿通孔を設けていて、下方からこのネジ挿通孔を通過させた雄ネジ部材を前記天板１に埋設した鬼目ナット１ｙに螺着することにより、この収納庫２に天板１を取り付けるようにしている。この収納庫２の下面には、アジャスタ２１を設けている。また、この収納庫２の内部には、上述したように収納空間を備えている。この収納空間２ｓは、その内部に１又は複数の小型の引き出し２６又は大型の引き出し２７を高さ位置を変更可能かつ着脱可能に設けることが可能である。また、この収納空間２ｓには、１又は複数の棚板２８も高さ位置を変更可能かつ着脱可能に設けることが可能であり、この棚板２８上又は底板２２上にチューブファイル等のファイル類を載せ置くことによりファイル類を収納可能である。そして、収納する対象の種々の書類やファイル等に対応させて底板２２、頂板２４及び前記棚板２８により区画される空間の高さ寸法を設定することができる。
【００１８】
前記脚３は、図１〜図３及び図６に示すように、他方の天板１の左右両端部をそれぞれ下方から支持する。また、この脚３は、使用端側から奥行き方向に伸びる第１の脚要素３１と、この第１の脚要素３１の反使用端から幅方向に伸びる第２の脚要素３２とを備え、天板１に対して着脱可能である。前記第１の脚要素３１の奥行き寸法ｄ０は、前記収納庫２の奥行き寸法ｄ０と同一である。また、前記第２の脚要素３２の幅寸法ｄ１は、前記収納庫２の幅寸法ｄ１と同一である。さらに、前記第１の脚要素３１の下面の前後両端、及び前記第２の脚要素３２の下面の突出端には、アジャスタ３３を設けている。加えて、この脚３の上面には前記天板１を取り付けるための取付手段であるブラケット３４を設けている。このブラケット３４は、第１の脚要素３１の上面に取り付けられる縦要素３４１と、第２の脚要素３２の上面に取り付けられる横要素３４２とを備えていて、前記縦要素３４１の前後両端及び横要素３４２の突出端にネジ挿通孔３４ｘを設けている。そして、下方からこのネジ挿通孔３４ｘを通過させた雄ネジ部材を前記天板１に埋設した雌ネジである鬼目ナットに螺着することにより、この脚３の上面に天板１を取り付けるようにしている。ここで、脚３に両側端縁部を支持させた天板１の下方には、ワゴンＷ等の収納家具を配置可能である。また、天板１の前記鬼目ナットには、この脚３と前記収納庫２とを選択的に取り付けることができる。すなわち、この脚３のブラケット３４に設けたネジ挿通孔３４ｘの位置及び前記収納庫２のネジ挿通孔の位置は、いずれも天板１を取り付けた状態で天板１に埋設した鬼目ナットと平面視重なり合う位置に設定している。
【００１９】
また、これら収納庫２及び脚３の内側面には、パソコンを保持するＰＣハンガー等のオプション部材を取り付け可能である。
【００２０】
前記配線ダクト４は、図７に示すようなダクト取付爪４ａを前記収納庫２又は脚３に設けた図示しないダクト取付孔に係り合わせることにより前記収納庫２の背面間又は前記脚３の背面間に架設させてなり、幅方向に延びるチャネル状の部材である。本実施形態では、この配線ダクト４は、図２〜図４に示すように、高さ方向に離間して複数、より具体的には天板１ごとに３個設けている。これら複数の配線ダクト４には、配線ダクト４ごとにそれぞれ異なる系統の配線を支持させるようにしている。すなわち、１つの配線ダクト４には公衆通信回線の通信ケーブル、他の一つの配線ダクト４には住基ネット等の専用通信回線の通信ケーブル、そしてさらに他の一つの配線ダクト４には電源ケーブルを支持させるようにしている。そして、前記収納庫２の背面及び前記脚３の背面には、高さ位置が異なる前記ダクト取付孔を複数組、具体的には４組設けていて、最大４個の配線ダクト４を着脱可能であるとともに、配線ダクト４を３個以下取り付ける場合には取り付け先のダクト取付孔を選択することによりその高さ位置を変更可能にしている。
【００２１】
前記目隠し板５ａ、５ｂは、本実施形態では、図４及び図５に示すように、上部及び下部に計２枚設けている。この目隠し板５ａ、５ｂは、目隠し板取付ブラケット５１ａ、５１ｂを介して前記収納庫２又は前記脚３に支持させている。この目隠し板取付ブラケット５１ａ、５１ｂは、ブラケット取付爪５１ａ１、５１ｂ１前記収納庫２又は脚３に設けた図示しないブラケット取付孔に係り合わせることにより前記収納庫２及び脚３に取り付けられる。この目隠し板５ａ、５ｂを前記配線ダクト４よりも後方に位置させるためのスペーサとしての機能を有する。また、前記目隠し板５ａ、５ｂは、パンチング加工を施してなる金属板を２枚重ね合わせて形成している。この目隠し板５ａ、５ｂは、天板１の第２の使用端縁１ｂから前方に離間した位置に配している。すなわち、この目隠し板５ａ、５ｂの後方かつ天板１下方の空間に、第２の使用端縁１ｂ側に着座した者の脚や荷物等を配することができるようにしている。
【００２２】
前記エンド脚６は、図１〜図３に示すように、前記収納庫２の外側面又は脚３の外側面に添接させて設けている。このエンド脚６の下面には、アジャスタ６１を設けている。また、このエンド脚６の後部と天板１の後部との間は、天板１の後部をこのエンド脚６に支持させるべく、天板支持ブラケット６２を介して接続している。
【００２３】
前記上棚７は、図１、図２及び図４に示すように、棚天板７１と、この棚天板７１を支持する左右の棚エンド脚７２と、これら左右の棚エンド脚７２の後端部間に架設させてなるパネル要素７３とを具備する。この上棚７は、前記天板１の配線挿通口１ｘ内に配した図示しない上棚取付ブラケットを介して天板１の上方に着脱可能に取り付けられる。この天板付き家具を客等が起立した状態で第２の使用端縁１ｂを使用するハイカウンターとして使用する際には、この上棚７を天板１の上方に取り付けた状態とするようにしている。一方、客等が座った状態で第２の使用端縁１ｂを使用するローカウンターとしてこの天板付き家具を使用する際には、この上棚７を取り外した状態とするようにしている。なお、図３においては、この上棚７を省略して示している。
【００２４】
ここで、配線の点検の際には、目隠し板５ａ、５ｂを取り外すと、図５に示すように配線ダクト４が後方空間に開放される。そして、特定の系統の配線に不具合が発生した場合には、後方側から対応する配線ダクト４内の配線にアクセスし、該配線に対する点検等を行うようにしている。
【００２５】
以上に述べたように、本実施形態に係る天板付き家具の構成によれば、天板１の側端縁部を前記脚３に支持させた場合、天板１の下方の下肢空間の側端は収納庫２ではなく板状の第１の脚要素３１により区画されるので、下肢空間の幅寸法を大きくとることができる。その上で、収納庫２の奥行き寸法ｄ０が第１の脚要素３１の奥行き寸法ｄ０と同一であるので、収納庫２の背面と脚３の背面とを面一にでき、見た目を整えることができる。
【００２６】
前記収納庫２を左右１対に設け各収納庫２に１つの天板１の一側端縁部をそれぞれ支持させている構成を採用し、前記収納庫２の幅寸法ｄ１が前記第２の脚要素３２の幅寸法ｄ１と同一であるので、見栄えをさらに効果的に整えるとともに天板１側において共通の鬼目ナット１ｙを利用し収納庫２又は脚３を取り付けることができる。
【００２７】
前記収納庫２の背面又は前記脚３の第２の要素３２に支持させてなる配線ダクト４と、この配線ダクト４のさらに後方に着脱可能に設けてなり天板１下方の空間を外部から隠蔽する目隠し板５ａ、５ｂとを具備するので、背面側からの見栄えをさらに整えつつ収納庫２又は脚３の背面側に配線を効果的に収納できる。
【００２８】
そして、前記収納庫２の背面又は前記脚３の第２の要素３２に複数の前記配線ダクト４を支持させることが可能であるので、複数の系統のネットワークに接続する場合等、複数種類の配線を区別して配線する要望に対応できる。
【００２９】
なお、本発明は以上に述べた実施形態に限らない。
【００３０】
例えば、図８に示すように、幅方向に隣接する２つの天板１の互いに離間する側端縁部を支持させる第１の収納庫Ａ２と、幅方向に隣接する２つの天板１の互いに対向する側端縁部を支持させる第２の収納庫Ａ８と、左右に対にして設けられ他の天板１の一側端縁部をそれぞれ支持する脚Ａ３とを利用し、前記第１の収納庫Ａ２及び前記脚Ａ３を上述した実施形態における収納庫２及び脚３と同様に構成するとともに、前記第２の収納庫Ａ８を、その幅寸法ｄ２が前記第１の収納庫Ａ２及び脚Ａ３の幅寸法ｄ１の２倍である以外前記第１の収納庫と同様に構成する態様が考えられる。ここで、図８を参照しつつ前述した態様の天板付き家具は、天板１を３枚設けていること、及び上述した点以外は図１〜図７を参照しつつ前述した実施形態の天板付き家具と同様の構成を有するので、同一の名称及び符号を付し、詳細な説明は省略する。
【００３１】
また、上述した実施形態のように収納庫又は脚に１つの天板の側端縁部を支持させるものであって、前記収納庫の幅寸法と前記脚の幅寸法とを同一にすると背面側すなわち第２の使用端側からの見栄えを整えることができるが、これら前記収納庫の幅寸法と前記脚の幅寸法とが異なるものであっても、脚により天板を支持させた場合に下肢空間を広くとることができるという本発明の最も主要な効果は得ることができる。加えて、前段で述べた実施形態において、前記第１の収納庫の幅寸法と前記脚の幅寸法とが異なるものや、前記第２の収納庫の幅寸法が前記第１の収納庫の幅寸法の２倍でないものであっても、脚により天板を支持させた場合に下肢空間を広くとることができるという本発明の最も主要な効果は得ることができる。
【００３２】
さらに、上述した実施形態では収納庫及び脚の背面に配線ダクトを支持させ、そのさらに後方に目隠し板を設けるようにしているが、収納庫及び脚の背面に直接目隠し板を取り付ける態様や、目隠し板を省略する態様等を採用してもよい。
【００３３】
その他、天板の上面に上棚を設けない態様を採用する等、本発明の趣旨を損ねない範囲で種々に変形してよい。
【符号の説明】
【００３４】
１…天板
２…収納庫
３…脚
４…配線ダクト
５ａ、５ｂ…目隠し板
Ａ２…第１の収納庫
Ａ３…脚
Ａ８…第２の収納庫
【図１】
0005961996.tif 000002
【図２】
0005961996.tif 000003
【図３】
0005961996.tif 000004
【図４】
0005961996.tif 000005
【図５】
0005961996.tif 000006
【図６】
0005961996.tif 000007
【図７】
0005961996.tif 000008
【図８】
0005961996.tif 000009